(57)【特許請求の範囲】
【請求項１】
複数の発光素子によって調律の状態を表示する調律器であって、
入力音の基本周期を検出する基本周期検出部と、
前記基本周期とあらかじめ定めた基準周期とのピッチ偏差を求めるピッチ偏差検出部と、
２Ｍ＋１個（ただし、Ｍは３以上の整数）の発光素子を有し、その中の１つの発光素子Ｅ０を点対称の中心または線対称の中心線上の点として、発光素子Ｅ−１，…，Ｅ−Ｍと発光素子Ｅ１，…，ＥＭがそれぞれ点対称または線対称に配置された表示部と、
前記ピッチ偏差にしたがって前記表示部に調律の状況を表示するピッチ偏差表示制御部と
を備え、
あらかじめ複数のピッチ偏差の絶対値の範囲を定めておき、
前記ピッチ偏差表示制御部は、
第１の範囲が調律できたと判断できる範囲であるとして、前記ピッチ偏差の絶対値が前記第１の範囲の場合には、あらかじめ定めた調律中とは異なる状態で点灯部（発光素子の中で点灯している部分）を停止させ、
前記ピッチ偏差の絶対値が前記第１の範囲以外であり、前記ピッチ偏差が正の場合には、前記範囲に応じたスピードで、発光素子Ｅ１から発光素子ＥＭ側に点灯部が移動するように、１つ以上の前記発光素子の状態を変化させる処理を繰り返し、
前記ピッチ偏差の絶対値が前記第１の範囲以外であり、前記ピッチ偏差が負の場合には、前記範囲に応じたスピードで、発光素子Ｅ−１から発光素子Ｅ−Ｍ側に点灯部が移動するように、１つ以上の前記発光素子の状態を変化させる処理を繰り返す
ことを特徴とする調律器。
【請求項２】
請求項１記載の調律器であって、
前記ピッチ偏差表示制御部は、
前記ピッチ偏差の絶対値が、前記第１の範囲以外から前記第１の範囲に変化した場合には、点灯中の発光素子から発光素子Ｅ０側に点灯部が移動するように、１つ以上の前記発光素子の状態を変化させ、発光素子Ｅ０まで点灯部が移動した後は、発光素子Ｅ０のみを点灯させた状態で点灯部を停止させる
ことを特徴とする調律器。
【発明の詳細な説明】
【技術分野】
【０００１】
本発明は、発光素子を複数個配置し、入力音（楽器の音など）が基準となる音からはなれている程度に応じて点灯部（発光素子の中で点灯している部分）の状態を変化させる調律器に関する。
【背景技術】
【０００２】
発光素子を複数個配置し、入力音（楽器の音など）が基準となる音からはなれている程度に応じて点灯部（発光素子の中で点灯している部分）の状態を変化させる調律器としては、特許文献１、特許文献２記載の調律器がある。
【０００３】
特許文献１の調律器は、入力音が基準となる音からはなれている程度に応じて、点灯部を選択し、点灯させている。この調律器では、点灯部の位置が基準となる音からはなれている程度を示しており、基準となる音からはなれている程度が一定の場合には点灯部は移動しない。また、特許文献２の調律器は、入力音が基準となる音からはなれている程度に応じて、点灯部が移動する。この調律器では、移動のスピードが基準となる音からはなれている程度、方向が基準となる音より低いか高いかを示している。
【特許文献１】特開平６−６７６５６号公報
【特許文献２】特開平８−５０４８４号公報
【発明の開示】
【発明が解決しようとする課題】
【０００４】
特許文献１の調律器は、調律を行っているとき（入力音が基準となる音からはなれているとき）に点灯部がほとんど移動しない。調律の最終段階では微妙な調整が必要であるが、調律器を小型にし、発光素子の数を少なくなると、調律の程度が分かりにくくなる。特許文献２の調律器は、調律の程度を点灯部の移動によって調律できたときに点灯部が停止するので、発光素子の数が少なくても多くの段階で調律の程度を表現できる。しかし、点灯部が停止したか否かの判断が難しいことがある。
【０００５】
本発明は、このような問題点を解決するためになされたものであり、調律の程度が分かりやすく、かつ調律できたことも分かりやすい調律器を提供することを目的とする。
【課題を解決するための手段】
【０００６】
本発明の調律器は、基本周期検出部、ピッチ偏差検出部、表示部、ピッチ偏差表示制御部を備える。基本周期検出部は、入力音の基本周期を検出する。ピッチ偏差検出部は、入力音の基本周期とあらかじめ定めた基準周期とのピッチ偏差を求める。表示部は、２Ｍ+１個（ただし、Ｍは３以上の整数）の発光素子を有し、その中の１つの発光素子Ｅ０を点対称の中心または線対称の中心線上の位置に配置し、発光素子Ｅ−１，…，Ｅ−Ｍと発光素子Ｅ１，…，ＥＭをそれぞれ点対称または線対称な位置に配置している。ピッチ偏差表示制御部は、次のように、ピッチ偏差にしたがって表示部に調律の状況を表示する。あらかじめ複数のピッチ偏差の絶対値の範囲を定めておく。そして、ピッチ偏差表示制御部は、ピッチ偏差の絶対値が第１の範囲の場合には、あらかじめ定めた状態で点灯部（発光素子の中で点灯している部分）を停止させる。例えば、ピッチ偏差の絶対値が第１の範囲以外から第１の範囲に変化した場合には、点灯中の発光素子から発光素子Ｅ０側に点灯部が移動するように、１つ以上の前記発光素子の状態を変化させ、発光素子Ｅ０まで点灯部が移動した後は、発光素子Ｅ０のみを点灯させた状態で点灯部を停止させればよい。ピッチ偏差の絶対値が第１の範囲以外であり、ピッチ偏差が正の場合には、ピッチ偏差の絶対値が属する範囲に応じたスピードで、発光素子Ｅ１から発光素子ＥＭ側に点灯部が移動するように、１つ以上の発光素子の状態を変化させる処理を繰り返す。また、ピッチ偏差の絶対値が第１の範囲以外であり、ピッチ偏差が負の場合には、ピッチ偏差の絶対値が属する範囲に応じたスピードで、発光素子Ｅ−１から発光素子Ｅ−Ｍ側に点灯部が移動するように、１つ以上の前記発光素子の状態を変化させる処理を繰り返す。
【発明の効果】
【０００７】
本発明の調律器によれば、点灯部の移動によって調律の程度を示すので、操作者に分かりやすい。また、調律できたことを第１の範囲であることを示す状態で発光素子の点灯部を停止させるので、調律できたことも分かりやすい。
【発明を実施するための最良の形態】
【０００８】
以下では、説明の重複を避けるため同じ機能を有する構成部には同一の番号を付与し、説明を省略する。
［第１実施形態］
図１は本発明の調律器の機能構成例を示す図であり、図２は本発明の調律器の表示部の例を示す図である。調律器９００は、基本周期検出部９２０、ピッチ偏差検出部９４０、表示部９６０、ピッチ偏差表示制御部９５０を備える。基本周期検出部９２０は、入力音の基本周期を検出する。ピッチ偏差検出部９４０は、入力音の基本周期とあらかじめ定めた基準周期とのピッチ偏差を求める。表示部９６０は、２Ｍ+１個（ただし、Ｍは３以上の整数）の発光素子９６１−Ｍ，…，９６１Ｍを有し、その中の１つの発光素子９６１０（Ｃ０）を点対称の中心または線対称の中心線上の位置に配置し、発光素子９６１−１（Ｌ１），…，９６１−Ｍ（ＬＭ）と発光素子９６１１（Ｈ１），…，９６１Ｍ（ＨＭ）をそれぞれ点対称または線対称な位置に配置している。図２では、各発光素子を直線状に配置しているが、円弧状に配置しても良いし、波形に配置しても良い。また、各発光素子の形状が異なっても良い。例えば、発光素子９６１−１や９６１１側よりも９６１−Ｍや９６１Ｍ側を小さくしても良いし、大きくしても良い。発光素子としては、例えばＬＥＤを用いればよい。
【０００９】
ピッチ偏差表示制御部９５０は、次のように、ピッチ偏差にしたがって表示部９６０に調律の状況を表示する。あらかじめ複数のピッチ偏差の絶対値の範囲を定めておく。例えば、調律できたと判断できる範囲を第１の範囲とし、調律できた範囲に近い方から第２、第３、第４の範囲を定めておく。そして、ピッチ偏差表示制御部９５０は、ピッチ偏差の絶対値が第１の範囲の場合には、あらかじめ定めた状態で点灯部（発光素子の中で点灯している部分）を停止させる。例えば、ピッチ偏差の絶対値が第１の範囲以外から第１の範囲に変化した場合には、点灯中の発光素子から発光素子９６１０側に点灯部が移動するように、１つ以上の発光素子９６１の状態を変化させ、発光素子９６１０まで点灯部が移動した後は、発光素子９６１０のみを点灯させた状態で点灯部を停止させればよい。また、ピッチ偏差の絶対値が継続的に第１の範囲の場合には、発光素子９６１０のみを点灯させた状態を維持する。
【００１０】
ピッチ偏差の絶対値が第１の範囲以外であり、ピッチ偏差が正の場合には、ピッチ偏差の絶対値が属する範囲に応じたスピードで、発光素子９６１１から発光素子９６１Ｍ側に点灯部が移動するように、１つ以上の発光素子９６１の状態を変化させる処理を繰り返す。また、ピッチ偏差の絶対値が第１の範囲以外であり、ピッチ偏差が負の場合には、ピッチ偏差の絶対値が属する範囲に応じたスピードで、発光素子９６１−１から発光素子９６１−Ｍ側に点灯部が移動するように、１つ以上の発光素子９６１の状態を変化させる処理を繰り返す。例えば、第２の範囲のときよりも第３の範囲のときの方がスピードを速くし、第３の範囲のときよりも第４の範囲のときの方がスピードをさらに速くする。このように「ピッチ偏差の絶対値が属する範囲に応じたスピード」を定めておけばよい。
【００１１】
なお、ピッチ偏差表示制御部９５０は、割り込みタイマー９５１を有していてもよい。この場合には、割り込みタイマー９５１が生成するトリガのタイミングで発光素子９６１の状態を変化させればよい。例えば、１６ｍｓごとに割り込みタイマー９５１がトリガを生成し、発光素子９６１の状態を変化させる。
第１実施形態の調律器によれば、点灯部の移動によって調律の程度を示すので、操作者に分かりやすい。また、調律できたことを明確に表示できるので、調律できたことも分かりやすい。
【００１２】
［第２実施形態］
第１実施形態では、発光素子の数を一般化した例を示した。本実施形態では、発光素子の数を１１個とした具体例を用いて、本発明の調律器について説明する。図３に、第２実施形態の調律器の表示部を示す図である。調律器９００’の機能構成は、第１実施形態（図１）と同じである。各構成部の機能は第１実施形態と同じなので、本実施形態では、特に発光素子の状態をどのように変化させるのかについて説明する。
【００１３】
図４は、ピッチ偏差が正の場合（入力音が基準よりも高い場合）の発光素子の状態の変化の例を示している。また、図５は、ピッチ偏差が負の場合（入力音が基準よりも低い場合）の発光素子の状態の変化の例を示している。図中の縦軸は時間を示しており、ｔ０１は割り込みタイマー９５１が最初のトリガを生成した時間を示しており、ｔ２０は割り込みタイマー９５１が２０番目のトリガを生成した時間を示している。例えば、トリガが１６ｍｓごとに生成される場合は、ｔ１９とｔ２０との時間差は１６ｍｓである。横軸は発光素子を示しており、Ｌ５，…，Ｌ１，Ｃ０，Ｈ１，…，Ｈ５は、図３の発光素子９６１−５から発光素子９６１５に対応している。図中では、各時間での各発光素子の状態を０から５の数字で表現している。０は消灯、１は２０％の輝度での点灯、２は４０％の輝度での点灯、３は６０％の輝度での点灯、４は８０％の輝度での点灯、５は１００％の輝度での点灯を示している。図４のように発光素子の状態を変化させることで、点灯部を発光素子９６１１（Ｈ１）から発光素子９６１５（Ｈ５）側に移動できる。また、図５のように発光素子の状態を変化させることで、点灯部を発光素子９６１−１（Ｌ１）から発光素子９６１−５（Ｌ５）側に移動できる。
【００１４】
図６は、ピッチ偏差の絶対値の範囲として５つの範囲を定めた場合であって、ピッチ偏差が正のときの発光素子の状態の変化の例を示している。なお、この図ではＬ５，…，Ｌ１の発光素子は省略している。例えば、４つの閾値ＡからＤを決め、閾値Ａ以下を第１の範囲、閾値Ａより大きく閾値Ｂ以下を第２の範囲、閾値Ｂより大きく閾値Ｃ以下を第３の範囲、閾値Ｃより大きく閾値Ｄ以下を第４の範囲、閾値Ｄより大きいときを第５の範囲とする。例えば、閾値Ａを１．５セント、閾値Ｂを７．５セント、閾値Ｃを１５．０セント、閾値Ｄを２５．０セントとする。図６に示したように発光素子の状態を変化させることで、調律の程度によって点灯部のスピードを変化させることができる。なお、ピッチ偏差が負の場合も同様の処理を行えばよい。
【００１５】
図７は、ピッチ偏差が正であって、ピッチ偏差の絶対値が第１の範囲以外から第１の範囲に変化した場合の発光素子の状態の変化の例を示す図である。図８は、ピッチ偏差が負であって、ピッチ偏差の絶対値が第１の範囲以外から第１の範囲に変化した場合の発光素子の状態の変化の例を示す図である。図７は、ピッチ偏差の絶対値が第１の範囲以外から第１の範囲に変化したときに発光素子９６１３（Ｈ３）が１００％の輝度で点灯していた場合を示しており、図８は、ピッチ偏差の絶対値が第１の範囲以外から第１の範囲に変化したときに発光素子９６１−３（Ｌ３）が１００％の輝度で点灯していた場合を示している。このように発光素子の状態を変化させることで、調律できた時を明確に示すことができる。
第１実施形態の調律器によれば、点灯部の移動によって調律の程度を示すので、操作者に分かりやすい。また、調律できた時に調律中とは異なる表示ができるので、調律できたことも分かりやすい。
【００１６】
［変形例］
本変形例の調律器と表示部は、第２実施形態（図１、図３）と同じであり、発光素子の状態のみが異なる。図９は、ピッチ偏差が正の場合（入力音が基準よりも高い場合）の発光素子の状態の変化の例を示している。また、図１０は、ピッチ偏差が負の場合（入力音が基準よりも低い場合）の発光素子の状態の変化の例を示している。第２実施形態の調律器では、発光素子Ｌ５，…，Ｌ１，Ｈ１，…，Ｈ５の中の１つないし２つの発光素子を点灯状態としていたが、本変形例の調律器では、２つないし３つの発光素子を点灯状態としている。
【００１７】
また、図１１は、ピッチ偏差が正であって、ピッチ偏差の絶対値が第１の範囲以外から第１の範囲に変化した場合の発光素子の状態の変化の例を示す図である。図１２は、ピッチ偏差が負であって、ピッチ偏差の絶対値が第１の範囲以外から第１の範囲に変化した場合の発光素子の状態の変化の例を示す図である。この場合も、本変形例の調律器では２つないし３つの発光素子を点灯状態としている。
このように、点灯させる発光素子の数は変更可能であり、発光素子の総数、使用環境などに応じて変更すればよい。
【図面の簡単な説明】
【００１８】
【図１】調律器の機能構成例を示す図。
【図２】第１実施形態の調律器の表示部の例を示す図。
【図３】第２実施形態の調律器の表示部の例を示す図。
【図４】ピッチ偏差が正の場合（入力音が基準よりも高い場合）の発光素子の状態の変化の例を示す図。
【図５】ピッチ偏差が負の場合（入力音が基準よりも低い場合）の発光素子の状態の変化の例を示す図。
【図６】ピッチ偏差の絶対値の範囲として５つの範囲を定めた場合であって、ピッチ偏差が正のときの発光素子の状態の変化の例を示す図。
【図７】ピッチ偏差が正であって、ピッチ偏差の絶対値が第１の範囲以外から第１の範囲に変化した場合の発光素子の状態の変化の例を示す図。
【図８】ピッチ偏差が負であって、ピッチ偏差の絶対値が第１の範囲以外から第１の範囲に変化した場合の発光素子の状態の変化の例を示す図。
【図９】ピッチ偏差が正の場合（入力音が基準よりも高い場合）の発光素子の状態の変化の変形例を示す図。
【図１０】ピッチ偏差が負の場合（入力音が基準よりも低い場合）の発光素子の状態の変化の変形例を示す図。
【図１１】ピッチ偏差が正であって、ピッチ偏差の絶対値が第１の範囲以外から第１の範囲に変化した場合の発光素子の状態の変化の変形例を示す図。
【図１２】ピッチ偏差が負であって、ピッチ偏差の絶対値が第１の範囲以外から第１の範囲に変化した場合の発光素子の状態の変化の変形例を示す図。
【図１】
0005245096.tif 000002
【図２】
0005245096.tif 000003
【図３】
0005245096.tif 000004
【図４】
0005245096.tif 000005
【図５】
0005245096.tif 000006
【図６】
0005245096.tif 000007
【図７】
0005245096.tif 000008
【図８】
0005245096.tif 000009
【図９】
0005245096.tif 000010
【図１０】
0005245096.tif 000011
【図１１】
0005245096.tif 000012
【図１２】
0005245096.tif 000013